(57)【要約】【課題】  集合住宅において周囲で使用している無線ＬＡＮの状況を取得し、干渉の少ない通信チャンネルの割り当てを実現する。【解決手段】  居室親機２は周囲の住戸に設置されている居室親機２等の無線ＬＡＮ通信機器から発信されるＲＳＳＩ値を測定するＲＳＳＩ回路を有し、制御機５は個々の居室親機２のＩＤ及びハンディ端末４のＩＤを記憶するＩＤ情報記憶部と、個々の居室親機２が測定したＲＳＳＩ値と通信チャンネル情報を記憶するＲＳＳＩ情報記憶部を備え、制御機５がＲＳＳＩ情報記憶部に記憶された情報を基に最も電波干渉を受けている居室親機２を選択し、選択した居室親機２に電波干渉する周囲の２つの居室親機２に対して通信チャンネルを選択した居室親機とは異なる通信チャンネルを割り当てる。【選択図】  図１
2011097356.tif 000002
【特許請求の範囲】
【請求項１】
集合住宅のエントランスに設置されて居住者を呼び出す機能を備えた集合玄関機と、各住戸に設置されて前記集合玄関機からの呼び出しに応答する機能を備えた居室親機と、住戸毎に設置されて前記居室親機と無線ＬＡＮ通信することで前記集合玄関機からの呼び出しに応答可能なハンディ端末と、前記集合玄関機と前記居室親機の間の通信を制御する制御機とを有する集合住宅インターホンシステムであって、
前記居室親機は、周囲の住戸に設置されているハンディ端末等の無線ＬＡＮ通信機器から発信される電波の強度を示すＲＳＳＩ値を測定するＲＳＳＩ回路と、測定した電波の通信チャンネル情報及びＩＤ情報を認識する電波認識手段とを有する一方、
前記制御機は、住戸毎の前記居室親機及び前記ハンディ端末のＩＤ情報等を記憶するＩＤ情報記憶部と、
前記居室親機から前記ＲＳＳＩ値、通信チャンネル情報、ＩＤ情報を入手して、前記居室親機に対して前記ハンディ端末との通信に割り当てる通信チャンネルを選択制御する通信チャンネル割当制御手段と、
前記ＲＳＳＩ値及び前記通信チャンネル情報等を記憶するＲＳＳＩ情報記憶部とを有し、
前記通信チャンネル割当制御手段は、前記ＲＳＳＩ情報記憶部に記憶された情報を基に、所定の手順で通信チャンネル制御対象の居室親機を選択し、選択した居室親機に対する電波干渉を削減するために予め設定した所定の条件に従って通信チャンネルを割り当てることを特徴とする集合住宅インターホンシステム。
【請求項２】
前記通信チャンネル割当制御手段は、前記ＲＳＳＩ情報記憶部から、最も多くの電波干渉を受けている前記居室親機を最初に選び、当該居室親機或いは当該居室親機に電波干渉する周囲の居室親機の通信チャンネルを所定の条件に従って変更することを特徴とする請求項１記載の集合住宅インターホンシステム。
【請求項３】
前記通信チャンネル割当制御手段は、所定の手順で選択した居室親機のＲＳＳＩ回路が測定した前記ＲＳＳＩ値から、電波干渉対象の居室親機を電波干渉の大きい順に順位付けし、順位付けした少なくとも上位２つの居室親機に対して、前記所定の手順で選択された居室親機の通信チャンネルとは異なる通信チャンネルを割り当てることを特徴とする請求項１又は２記載の集合住宅インターホンシステム。
【請求項４】
前記通信チャンネル割当制御手段は、所定の手順で選択した居室親機に対して、当該居室親機のＲＳＳＩ回路が測定した前記ＲＳＳＩ値から、電波干渉の大きい順に干渉対象の居室親機を順位付けし、順位付けした少なくとも上位２つの居室親機の通信チャンネルと異なる通信チャンネルにＬＡＮ通信チャンネルを割り当てることを特徴とする請求項１又は２記載の集合住宅インターホンシステム。
【請求項５】
前記通信チャンネル割当制御手段は、順位付けした最上位の居室親機に関するＲＳＳＩ値が特定の値以下である場合はチャンネル割り当て制御を実施しないことを特徴とする請求項３又は４に記載の集合住宅インターホンシステム。
【請求項６】
前記通信チャンネル割当制御手段は、定期的に各居室親機からＲＳＳＩ値を入手し、通信チャンネル割当制御を行うことを特徴とする請求項１乃至５の何れかに記載の集合住宅インターホンシステム。
【発明の詳細な説明】
【技術分野】
【０００１】
本発明は集合住宅インターホンシステムに関し、特に住戸内に設置した居室親機が無線ＬＡＮ通信により同様に住戸内で使用するハンディ端末と通信を行う集合住宅インターホンシステムに関する。
【背景技術】
【０００２】
インターホンの居室親機として携行可能な機器を追加したインターホンシステムが普及している。このようなインターホンシステムで使用する携行可能なハンディ端末は、他の家電機器、特に情報通信機器で使用している電波による無線ＬＡＮ通信を用いることで、システムの拡張性、汎用性が生ずるため、適用が進んでいる。
このようなシステムのなかで、複数の携帯可能なハンディ端末を備えた無線ＬＡＮを使用したものとしては、特許文献１に記載されたインターホンシステムがある。これは、病院において使用されるナースコールシステムであって、看護師がＩＰ携帯電話を携行し、複数のアクセスポイントを病院内に設置してＩＰ携帯電話のアドレスを特定することで通信を可能とするものであった。
一方で、多数設置された無線ＬＡＮ通信機器間の干渉を制御する形態として、機器の送信レベルを制御して互いの電波干渉を防止するものがあった（例えば、特許文献２参照）。
【先行技術文献】
【特許文献】
【０００３】
【特許文献１】特開２００７−３６９７７号公報
【特許文献２】特開２００９−６０６５５号公報
【発明の概要】
【発明が解決しようとする課題】
【０００４】
しかしながら、無線ＬＡＮの周波数帯域は狭く、使用可能な通信チャンネル数が少ない。例えば、２．４ＧＨｚ帯の無線ＬＡＮを使用した場合、３〜４チャンネルしか確保することができない。
そのため、複数の住戸が接近して隣接している集合住宅に無線ＬＡＮ通信を適用すると、隣接する住戸同士が同一の通信チャンネルとなる場合が発生する。その場合は、電波干渉が発生して居室親機とハンディ端末の間の通信にノイズが入ったり、通信自体ができなくなる事態が発生してしまう。この点、上記特許文献１のナースコールシステムでは、使用するハンディ端末の数が限られていたため、通信障害を引き起こすには至らなかった。
【０００５】
そのため、集合住宅インターホンシステムにおいて無線ＬＡＮを適用する場合、上記特許文献２に記載されているように、通信電波自体を弱くして隣の住戸に影響を及ぼさないようにする方法が考えられるが、居室親機が住戸の中心に設置されることは少なく、住戸内全領域で無線ＬＡＮ通信が可能なレベルに設定する必要があるため、電波の強さで隣接した住戸への電波干渉を防止することは難しい。
【０００６】
そこで、本発明はこのような問題点に鑑み、集合住宅において周囲で使用している無線ＬＡＮの状況を取得し、干渉の少ない通信チャンネルの割り当てを実現する集合住宅インターホンシステムを提供することを目的としている。
【課題を解決するための手段】
【０００７】
上記課題を解決する為に、請求項１の発明は、集合住宅のエントランスに設置されて居住者を呼び出す機能を備えた集合玄関機と、各住戸に設置されて集合玄関機からの呼び出しに応答する機能を備えた居室親機と、住戸毎に設置されて居室親機と無線ＬＡＮ通信することで集合玄関機からの呼び出しに応答可能なハンディ端末と、集合玄関機と居室親機の間の通信を制御する制御機とを有する集合住宅インターホンシステムであって、居室親機は、周囲の住戸に設置されているハンディ端末等の無線ＬＡＮ通信機器から発信される電波の強度を示すＲＳＳＩ値を測定するＲＳＳＩ回路と、測定した電波の通信チャンネル情報及びＩＤ情報を認識する電波認識手段とを有する一方、制御機は、住戸毎の居室親機及びハンディ端末のＩＤ情報等を記憶するＩＤ情報記憶部と、居室親機からＲＳＳＩ値、通信チャンネル情報、ＩＤ情報を入手して、居室親機に対してハンディ端末との通信に割り当てる通信チャンネルを選択制御する通信チャンネル割当制御手段と、ＲＳＳＩ値及び通信チャンネル情報等を記憶するＲＳＳＩ情報記憶部とを有し、通信チャンネル割当制御手段は、ＲＳＳＩ情報記憶部に記憶された情報を基に、所定の手順で通信チャンネル制御対象の居室親機を選択し、選択した居室親機に対する電波干渉を削減するために予め設定した所定の条件に従って通信チャンネルを割り当てることを特徴とする。
この構成によれば、通信チャンネル割当制御手段が所定の手順で居室親機を選択、例えば最も多くの電波干渉を受ける居室親機を選択し、その選択した居室親機の周囲の居室親機に対して、電波干渉対象の居室親機とは異なるＬＡＮ通信チャンネルを割り当てるよう制御することで、居室親機とハンディ端末との通信が電波干渉による障害で通信できなくなる事態を防止することができる。
【０００８】
請求項２の発明は、請求項１に記載の構成において、通信チャンネル割当制御手段は、ＲＳＳＩ情報記憶部から、最も多くの電波干渉を受けている居室親機を最初に選び、当該居室親機或いは当該居室親機に電波干渉する周囲の居室親機の通信チャンネルを所定の条件に従って変更することを特徴とする。
この構成によれば、最も多くの電波干渉を受けている居室親機を最初に選び、その居室親機がハンディ端末と通信できるようＬＡＮ通信チャンネルの割り当てが行われるので、電波干渉による障害を効果的に削減でき、通信チャンネルの適正な割り当てができる。
【０００９】
請求項３の発明は、請求項１又は２に記載の構成において、通信チャンネル割当制御手段は、所定の手順で選択した居室親機のＲＳＳＩ回路が測定したＲＳＳＩ値から、電波干渉対象の居室親機を電波干渉の大きい順に順位付けし、順位付けした少なくとも上位２つの居室親機に対して、所定の手順で選択された居室親機の通信チャンネルとは異なる通信チャンネルを割り当てることを特徴とする。
この構成によれば、所定の手順で選択された居室親機に電波干渉する周囲の居室親機の通信チャンネルが変更される。よって、選択された居室親機が上下左右に干渉対象の住戸（居室親機）があっても、周囲に割り当てる通信チャンネルを操作するので、チャンネル数が例えば３チャンネルと少なくても確実に通信障害を削減することができる。
【００１０】
請求項４の発明は、請求項１又は２に記載の構成において、通信チャンネル割当制御手段は、所定の手順で選択した居室親機に対して、当該居室親機のＲＳＳＩ回路が測定した前記ＲＳＳＩ値から、電波干渉の大きい順に干渉対象の居室親機を順位付けし、順位付けした少なくとも上位２つの居室親機の通信チャンネルと異なる通信チャンネルにＬＡＮ通信チャンネルを割り当てることを特徴とする。
この構成によれば、所定の手順で選択された居室親機自体の通信チャンネルが、強い電波干渉対称の周囲の通信チャンネルとは異なる通信チャンネルに設定される。よって、ＲＳＳＩ値の大きな相手の無線ＬＡＮ通信機器の通信チャンネルが変更できない場合であっても、チャンネルの割り当てができる。
【００１１】
請求項５の発明は、請求項３又は４に記載の構成において、通信チャンネル割当制御手段は、順位付けした最上位の居室親機に関するＲＳＳＩ値が特定の値以下である場合はチャンネル割り当て制御を実施しないことを特徴とする。
この構成によれば、電波干渉が小さく通信障害となり難い電波に対しては通信チャンネルを変更しないので、最小限の変更で電波干渉による通信障害を防止できる。
【００１２】
請求項６の発明は、請求項１乃至５の何れかに記載の構成において、通信チャンネル割当制御手段は、定期的に各居室親機からＲＳＳＩ値を入手し、通信チャンネル割当制御を行うことを特徴とする。
この構成によれば、定期的に通信チャンネルの割当制御が行われるので、集合住宅内でハンディ端末等の無線ＬＡＮ通信機器に追加等変更があっても、電波干渉の発生を自動で解消することができる。
【発明の効果】
【００１３】
本発明によれば、最も多くの電波干渉を受ける居室親機を選択し、その選択した居室親機自体の通信チャンネルを、電波干渉対象の居室親機の通信チャンネルとは異なる通信チャンネルを割り当てるか、選択された居室親機の通信チャンネルは変更せずに、電波干渉対象の居室親機の通信チャンネルを変更することで、割り当てるチャンネル数が少なくても、通信チャンネルの適正な割り当てが可能となり、電波干渉を防止できる。
【図面の簡単な説明】
【００１４】
【図１】本発明に係る集合住宅インターホンシステムの一例を示す構成図である。
【図２】制御機のブロック図である。
【図３】制御機が記憶する居室親機関連情報の内容を示す表図である。
【図４】集合住宅の各住戸に対して、通信チャンネルを仮割当した状態を示す説明図である。
【図５】図４の状態において、２０３号室の居室親機のＲＳＳＩ回路が検知したＲＳＳＩ値の一覧を示す表図である。
【図６】通信チャンネルを変更する第１の制御を示すフローチャートである。
【図７】集合住宅に通信チャンネルの変更操作ができない無線ＬＡＮ機器がある場合の集合住宅の各住戸に対して、通信チャンネルを仮割当した状態を示す説明図である。
【図８】図７の状態において、２０２号室の居室親機のＲＳＳＩ回路が検知したＲＳＳＩ値の一覧を示す表図である。
【図９】通信チャンネルを変更する第２の制御を示すフローチャートである。
【発明を実施するための形態】
【００１５】
以下、本発明を具体化した実施の形態を、図面に基づいて詳細に説明する。図１は本発明に係る集合住宅インターホンシステムの一例を示す構成図であり、１は集合住宅のエントランスに設置されて居住者を呼び出すための集合玄関機、２は各住戸に設置されて呼び出しに応答するための居室親機、３は個々の住戸玄関に設置されて居住者を呼び出すための玄関子機、４は住戸毎に住戸内に設置されて居室親機２と無線ＬＡＮ通信するハンディ端末、５は集合玄関機１と居室親機２の間の通信を制御する制御機である。
集合玄関機１は制御機５に伝送線Ｌ１を介して接続され、各居室親機２は親機幹線Ｌ２を介して制御機５に接続され、玄関子機３は伝送線Ｌ３を介して住戸毎に居室親機２に接続されている。
【００１６】
居室親機２は、周囲の無線ＬＡＮ通信機器から発信される電波の強度を測定するＲＳＳＩ（Ｒｅｃｅｉｖｅｄ  Ｓｉｇｎａｌ  Ｓｔｒｅｎｇｔｈ  Ｉｎｄｉｃａｔｏｒ）回路２１、ハンディ端末４と通信するためのアンテナ２２、周囲の無線ＬＡＮ通信機器から受信した電波から機器の通信チャンネル、ＩＤ情報等を読み取ると共に、ハンディ端末４との通信を制御し、更に居室親機２自身を制御する親機ＣＰＵ２３等を備えている。
【００１７】
制御機５は図２に示すような回路構成となっている。図２は制御機５の回路ブロック図であり、居室親機２が測定したＲＳＳＩ値情報や通信チャンネル情報を記憶するＲＳＳＩ情報記憶部５１、個々の居室親機２のＩＤ情報やハンディ端末４のＩＤ情報を記憶するＩＤ情報記憶部５２、集合玄関機１と居室親機２との間の通信を制御すると共に制御機５自身を制御する制御機ＣＰＵ５３、集合玄関機１及び居室親機２と通信するための制御機ＩＦ５４等を備えている。
【００１８】
このように構成された集合住宅インターホンシステムは、来訪者により集合玄関機１が操作されて選択された住戸の居室親機２が呼び出されたら、呼出先の居室親機２が呼出音を報音する。この呼び出しを受けて、居住者により居室親機２が応答操作されると、制御機５が集合玄関機１と居室親機２の間の通話路を形成し、来訪者と居住者の間で通話が可能となる。また、呼び出しに対してハンディ端末４でも応答でき、ハンディ端末４の所定の応答操作により、ハンディ端末４と集合玄関機１の間で通話路が形成される（詳細は省略する）。
【００１９】
図３は、集合住宅における住戸配置、個々の住戸で使用されている無線ＬＡＮ通信チャンネルの状態を示している。図３において、Ｎ１は住戸番号、Ｎ２は無線ＬＡＮの通信チャンネルを示し、通信チャンネルはＡ，Ｂ，Ｃの３チャンネルが使用可能である場合を示している。尚、一般的に使用されている２．４ＧＨｚ帯の無線ＬＡＮを使用した場合、電波干渉がないように効率よく使用したチャンネル数は最大４チャンネル、通常３チャンネルとなっている。
【００２０】
図４は、制御機５のＩＤ情報記憶部５２が記憶している情報を示し、住戸番号、居室親機ＩＤ、ハンディ端末ＩＤの一覧に設定されているＬＡＮ通信チャンネルを合わせて示している。住戸番号と、居室親機ＩＤ及びハンディ端末ＩＤの関係は集合住宅インターホンシステム構築時に設定され、通信チャンネルは居室親機２から送信される情報、或いは制御機５が通信チャンネルを割り当てた際に逐次書き換えられる。
尚、制御機５がこのような一覧を備えることで、同一の通信チャンルを使用する無線ＬＡＮ通信機器が周辺にあっても、ＩＤ情報の不一致から居室親機２との通信が実施できないよう制御することが可能となる。
【００２１】
また、制御機５のＲＳＳＩ情報記憶部５１には、居室親機２のＲＳＳＩ回路２１が測定したＲＳＳＩ値情報と通信チャンネル情報が記憶されている。制御機ＣＰＵ５３の制御により、定期的にＲＳＳＩ値情報が各居室親機２から入手され記憶される。
図５は、このＲＳＳＩ情報の一部を示し、入手したＲＳＳＩ値情報のうち２０３号住戸の居室親機２から入手したＲＳＳＩ値情報を示している。この図５に示すように、干渉している居室親機２（或いはハンディ端末４）の住戸番号、ＲＳＳＩ値、通信チャンネル情報が居室親機２から伝送され、ＲＳＳＩ情報記憶部５１に記憶される。
【００２２】
上記構成の集合住宅インターホンシステムにおいて、通信チャンネル割り当て手順の流れを次に説明する。図６は通信チャンネル割り当て手順の流れの概略を示し、このフローを参照して説明する。
通信チャンネルは、集合住宅インターホンシステムが施工された段階で、図３に示すような仮チャンネルが設置業者により割り当てられ、居室親機２とその住戸で使用されるハンディ端末４の間で通信が可能となっている。
【００２３】
居室親機２は、周囲で使用されている居室親機２を始とする無線ＬＡＮ通信機器から定期的に送信されるビーコン、または通信電波を受信することで、その機器を特定するＩＤと使用している通信チャンネルを取得し、ＲＳＳＩ値を測定（Ｓ１）する。制御機５は、制御機ＣＰＵ５３の制御で取得したデータ及び測定値を定期的に入手し、入手した情報を基に図５に示すようなリストを作成する（Ｓ２）。尚、図５では対となっている居室親機２とハンディ端末４のＲＳＳＩ値のうち値の大きい方のＲＳＳＩ値をリストに登録している。
【００２４】
制御機５は、このようなリストを居室親機２毎に作成し、全住戸の居室親機２のＲＳＳＩ値データを比較し、全住戸の中で最も電波環境が悪い住戸を決定する（Ｓ３）。具体的に、測定したＲＳＳＩ値が一定の閾値、例えば−７０ｄＢｍを超えている干渉数を比較し、その干渉数が最も多い住戸から順番付けし、干渉数が同一な場合はＲＳＳＩ値の大きい方を電波環境がより悪い住戸とする。
尚、図５において太線Ｈが閾値により分離される部位を示し、この太線Ｈより上位の住戸（居室親機）が順番付けの対称となる。
【００２５】
こうして最悪の環境となった住戸に対して最初に通信チャンネル変更制御を実施する。ここで、２０３号住戸の居室親機２が最も電波環境が最悪と判断されたとして説明する。図４の情報から２０３号住戸ではチャンネルＡが使用され、図５のリストから最も干渉している３０３号住戸の通信チャンネルはチャンネルＢ、２番目に干渉している３０２号住戸の通信チャンネルはチャンネルＡであることがわかる。
この結果、制御機ＣＰＵ５３は３０２号住戸で使用する通信チャンネルを、チャンネルＡ以外のチャンネルＢ或いはチャンネルＣに変更する（Ｓ４）。例えば、１番目の３０３号住戸がチャンネルＢであるため、このチャンネルを避けてチャンネルＣを選択し、３０２号住戸に割り当てる。
こうして最も強く干渉を受けている上位２つの住戸に対して通信チャンネル変更制御が実施される。
【００２６】
この変更制御を実施したら、次の住戸に対して変更制御を実施する。この制御も、基本は上記制御の流れと同様である。制御はＲＳＳＩ値の測定（Ｓ１）から開始され、変更された通信チャンネルの情報が加味されて次の変更制御は実施される。但し、２０３号、３０３号、３０２号の各住戸の制御は完了したとして、これらの住戸を除いた機器に対して順位付けされ、その中で最も電波環境が悪い住戸を選択し、その住戸に対して同様の制御が実施される。
こうして、閾値Ｈを超えるようなＲＳＳＩ値の住戸が無くなった時点で、或いは所定の回数変更制御が実施されたら終了となる。尚、この一連の制御は例えば１時間毎に定期的に実施される。
【００２７】
このように、制御機ＣＰＵ５３が所定の手順で最も多くの電波干渉を受ける居室親機２を最初に選択し、その居室親機２がハンディ端末４と通信できるようＬＡＮ通信チャンネルの割り当てが行われるので、電波干渉による障害を効果的に削減でき、通信チャンネルの適正な割り当てができ、居室親機２とハンディ端末４との間で電波干渉により通話できなくなる事態を防止することができる。
また、所定の手順で選択された居室親機２に電波干渉する周囲の居室親機２の通信チャンネルが変更されるので、選択された居室親機２の対して干渉対象の住戸（居室親機）が上下左右にあっても、またチャンネル数が３チャンネルと少なくても、周囲に割り当てる通信チャンネルを操作することで確実に通信障害を削減することができる。
更に、閾値を設けて電波干渉が小さく通信障害となり難い電波に対しては通信チャンネルを変更しないので、最小限の変更で電波干渉による通信障害も防止できる。
また、定期的に通信チャンネルの割当制御が行われるので、集合住宅内で無線ＬＡＮ通信機器に追加等の変更があっても、電波干渉の発生を自動で解消することができる。
【００２８】
尚、ここでは、通信チャンネル数が３チャンネルの場合を説明しているため、干渉対象となっている機器のうち上位２つの機器の通信チャンネルを変更する制御を行っているが、通信チャンネル数が３チャンネルより多い場合は、変更可能な機器の数を増やすことができる。
【００２９】
次に、集合住宅内に、制御機５が通信チャンネルを変更できない無線ＬＡＮ通信機器がある場合を説明する。図７は、上記図３と同様に集合住宅における個々の住戸の配置、個々の住戸で使用されている無線ＬＡＮ通信チャンネルの状態を示し、通信チャンネルは互いに干渉しないＡ，Ｂ，Ｃの３チャンネルが使用可能である場合を示している。
上記図３とは、１０２号住戸に制御機５が関与できない無線ＬＡＮ通信機器であるパーソナルコンピュータ（以下、ＰＣとする）７が設置されている点が相違している。
尚、説明のためこのＰＣ７のＬＡＮ通信はチャンネルＣで行われるとする。また、図７に示すように通信チャンネルが設定されている状態において、制御機５のＩＤ情報記憶部５２が記憶している個々の居室親機２と通信チャンルの関係一覧は上記図４と同様とする。
【００３０】
そして制御機５は、居室親機２のＲＳＳＩ回路２１が測定したＲＳＳＩ値情報を入手し、ＲＳＳＩ情報記憶部５１に記憶する。図８は、各居室親機２から入手したＲＳＳＩ値情報のうち、一例として２０２号住戸の居室親機２のＲＳＳＩ値情報のリストを示している。この図８に示すように、干渉している居室親機２（或いはハンディ端末４）の住戸番号、ＲＳＳＩ値、通信チャンネル情報に加えて、ＰＣ７から発信される無線ＬＡＮ信号の情報が居室親機２から伝送され、ＲＳＳＩ情報記憶部５１にＩＤを判別できない外部機器として記憶される。
【００３１】
このように構成された集合住宅インターホンシステムにおいて、通信チャンネル割り当て手順の流れを、次に説明する。図９は、通信チャンネル割り当て手順の流れの一例を示し、自身の通信チャンネルを変更する制御の概略フローであり、このフローを参照して説明する。
通信チャンネルは、集合住宅インターホンシステムが施工された段階で、図３に示すような仮チャンネルが設置業者により割り当てられ、居室親機２とその住戸で使用されるハンディ端末４の間で通信が可能となっている。
【００３２】
居室親機２は、周囲で使用されている無線ＬＡＮ機器から定期的に送信されるビーコン、または通信電波を受信することで、その機器を特定するＩＤと使用している通信チャンネルを取得し、ＲＳＳＩ値を測定（Ｓ１１）する。制御機５は、制御機ＣＰＵ５３の制御により、データ及び測定値を定期的に入手し、この情報を基に図８に示すようなリストを作成する（Ｓ１２）。
【００３３】
制御機５は、このようなリストを居室親機２毎に作成し、全住戸の居室親機２のＲＳＳＩ値データを比較し、全住戸の中で最も電波環境が悪い住戸決定する（Ｓ１３）。具体的に、測定したＲＳＳＩ値が一定の閾値、例えば−７０ｄＢｍを超えている干渉数を比較し、その干渉数が最も多い住戸から順番付けし、干渉数が同一な場合はＲＳＳＩ値の大きい方を電波環境がより悪い住戸とする。尚、図８において太線Ｈは閾値を示している。
【００３４】
こうして最悪の環境となった住戸に対して最初に通信チャンネル変更制御を実施する。ここで、２０２号住戸の居室親機２が最も電波環境が最悪と判断されたとして説明する。
上記図４の情報から２０２号住戸ではチャンネルＣが使用され、図８のリストから最も干渉している１０２号住戸にあるＰＣ７の通信チャンネルはチャンネルＣ、２番目に干渉している３０１号住戸の通信チャンネルはチャンネルＣであることがわかる。
この結果、制御機５は２０２号住戸で使用する通信チャンネルを、現状のチャンネルＣからチャンネルＡ或いはチャンネルＢに変更する（Ｓ１４）。例えば、３番目に干渉している住戸の通信チャンネルがチャンネルＡであることから、制御機５はこのチャンネルＡを除外してチャンネルＢを選択し、２０２号住戸の無線ＬＡＮ通信チャンネルとして割り当てる。このように、干渉する上位２つの住戸で使用しているチャンネルとは異なるチャンネルへの変更制御を実施する。但し、この制御はＲＳＳＩ値が−７０ｄＢｍ未満の小さなＲＳＳＩ値の場合は実施しない。
【００３５】
この変更制御を実施したら、次の住戸に対して変更制御を実施する。この制御も、基本は上記制御の流れと同様である。制御はＲＳＳＩ値の測定（Ｓ１１）から開始され、変更された通信チャンネルの情報が加味されて次の変更制御は実施される。また、２０２号住戸の制御は完了したとして、この住戸を除外した機器に対して順位付けされ、その中で最も電波環境が悪い住戸を選択し、その住戸に対して同様の制御が実施される。
こうして、閾値Ｈを超えるようなＲＳＳＩ値の住戸が無くなった時点で、或いは所定の回数変更制御が実施されたら終了となる。そして、この一連の制御は例えば１時間毎に定期的に実施される。
【００３６】
このように、制御機５が所定の手順で最も多くの電波干渉を受ける居室親機２を選択し、選択された居室親機自体の通信チャンネルが、強い電波干渉対象の周囲の通信チャンネルとは異なる通信チャンネルに設定される。よって、ＲＳＳＩ値の大きな相手の無線ＬＡＮ通信機器の通信チャンネルが変更できない場合であっても、チャンネルの割り当てができるし、電波干渉している周囲の居室親機２とは異なる通信チャンネルを割り当てるよう制御するので、通信チャンネルの適正な割り当てができ、居室親機２とハンディ端末４との間で電波干渉により通話できなくなる事態を防止することができる。
また、ＲＳＳＩ値に閾値を設定して電波干渉が小さく通信障害となり難い電波に対しては通信チャンネルを変更しないので、最小限の変更で電波干渉による通信障害も防止できる。
更に、定期的に通信チャンネルの割当制御が行われるので、集合住宅内で無線ＬＡＮ通信機器に追加等の変更があっても、電波干渉の発生を自動で解消することができる。
【００３７】
尚、上記実施形態では、最も電波干渉を受けている居室親機２を選択したら、干渉対象の上位２つの無線ＬＡＮ通信機器を選択して、その通信チャンネルとは異なる通信チャンネルに設定する制御を行っているが、使用可能な通信チャンネルが４チャンネル以上あれば、上位３つ或いはそれ以上の干渉対象の無線ＬＡＮ通信機器を選択して、その通信チャンネルとは異なる通信チャンネルを設定しても良い。
また、最も電波干渉を受けている居室親機２から順に通信チャンネルの割り当てを行うが、単純に住戸番号順に居室親機を選択して順次チャンネルの割当制御を行っても良い。
【符号の説明】
【００３８】
１・・集合玄関機、２・・居室親機（無線ＬＡＮ通信機器）、４・・ハンディ端末（無線ＬＡＮ通信機器）、５・・制御機、７・・パーソナルコンピュータ（無線ＬＡＮ通信機器）２１・・ＲＳＳＩ回路、２３・・親機ＣＰＵ（電波認識手段）、５１・・ＲＳＳＩ情報記憶部、５２・・ＩＤ情報記憶部、５３・・制御機ＣＰＵ（通信チャンネル割当制御手段）。
【図１】
2011097356.tif 000003
【図２】
2011097356.tif 000004
【図３】
2011097356.tif 000005
【図４】
2011097356.tif 000006
【図５】
2011097356.tif 000007
【図６】
2011097356.tif 000008
【図７】
2011097356.tif 000009
【図８】
2011097356.tif 000010
【図９】
2011097356.tif 000011